(57)【要約】【課題】結露によってファンに不具合が発生することを抑制できる洗浄機を提供する。【解決手段】食器洗浄機１は、食器を収容する洗浄室３と、洗浄室から水蒸気を排出する開口部２Ｈと、洗浄室を開閉可能なドア７と、を有する洗浄機本体２と、開口部から排出された水蒸気を凝縮して水蒸気の包含量が減少した空気に変換する熱交換器６４と、熱交換器によって変換された空気を排出する排出部７０ｂに連通する排気ダクト７０と、を有する熱交換ユニット６０と、開口部から熱交換ユニットに水蒸気を取り込んで排出部から空気を排出させる排気ファン６８と、を備える。ダクトは、熱交換器の上方に設けられると共に上下方向に延在する第１ダクト７１と、第１ダクトに連通し、上下方向に交差する前後方向に排出部まで延在する第２ダクト７２と、を有し、排気ファンは、第２ダクト内に配置されている。【選択図】図５
2019141248.tif 000002
【特許請求の範囲】
【請求項１】
被洗浄物を収容する洗浄室と、前記洗浄室から水蒸気を排出する開口部と、前記洗浄室を開閉可能なドアと、を有する本体部と、
前記開口部から排出された前記水蒸気を凝縮して前記水蒸気の包含量が減少した空気に変換する熱交換部と、前記熱交換部によって変換された前記空気を排出する排出部に連通するダクトと、を有する熱交換ユニットと、
前記開口部から前記熱交換ユニットに前記水蒸気を取り込んで前記排出部から前記空気を排出させるファンと、を備え、
前記ダクトは、前記熱交換部の上方に設けられると共に上下方向に延在する第１ダクトと、前記第１ダクトに連通し、前記上下方向に交差する前後方向に前記排出部まで延在する第２ダクトと、を有し、
前記ファンは、前記第２ダクト内に配置されている、洗浄機。
【請求項２】
前記ファンは、ブラケットを介して前記第２ダクトの底面に取り付けられており、
前記第２ダクトの前記底面は、前記排出部に向かって上方に傾斜し、
前記ブラケットと前記底面との間には隙間が設けられている、請求項１記載の洗浄機。
【請求項３】
前記ブラケットは、パッキンを介して前記底面に取り付けられており、
前記パッキンは、前記第２ダクトにおいて、前記上下方向と前記前後方向とに直交する幅方向の両端に設けられており、
前記隙間は、前記幅方向において両端に設けられる前記パッキンの間に設けられている、請求項２記載の洗浄機。
【発明の詳細な説明】
【技術分野】
【０００１】
本発明は、洗浄機に関する。
【背景技術】
【０００２】
従来の洗浄機としては、例えば、特許文献１に記載されたものが知られている。特許文献１に記載の洗浄機は、洗浄室を有する本体と、洗浄室から排出された水蒸気を凝縮して水蒸気の包含量が減少した空気を排出する熱交換器と、を備えている。特許文献１に記載の洗浄機では、従来排気されていた水蒸気（湯気）により、給水を昇温させることができる。
【先行技術文献】
【特許文献】
【０００３】
【特許文献１】特開２０１１−２０６１１０号公報
【発明の概要】
【発明が解決しようとする課題】
【０００４】
上記従来の洗浄機では、ダクトにおいて熱交換器の真上の空間に送風機が設けられている。ダクトの天板は、ファン（送風機）によって排出される空気が吹き付けられるので、ダクト外部との気温差等によって結露が発生する。ファンは、天板に発生した結露が落下する位置に設けられているので、結露による不具合がもたらされるおそれがある。
【０００５】
そこで、本発明は、結露によってファンに不具合が発生することを抑制できる洗浄機を提供することを目的とする。
【課題を解決するための手段】
【０００６】
本発明に係る洗浄機は、被洗浄物を収容する洗浄室と、洗浄室から水蒸気を排出する開口部と、洗浄室を開閉可能なドアと、を有する本体部と、開口部から排出された水蒸気を凝縮して水蒸気の包含量が減少した空気に変換する熱交換部と、熱交換部によって変換された空気を排出する排出部に連通するダクトと、を有する熱交換ユニットと、開口部から熱交換ユニットに水蒸気を取り込んで排出部から空気を排出させるファンと、を備え、ダクトは、熱交換部の上方に設けられると共に上下方向に延在する第１ダクトと、第１ダクトに連通し、上下方向に交差する方向に排出部まで延在する第２ダクトと、を有し、ファンは、第２ダクト内に配置されている。
【０００７】
この構成の洗浄機では、熱交換部によって変換された空気を外部に排出するファンが、熱交換部の上方から上下方向に延在する第１ダクトとは異なる第２ダクトに設けられている。すなわち、ファンは、熱交換部の上方から外れた位置、かつ第１ダクトの天板の下方からも外れた位置に配置される。これにより、ダクト内（特に第１ダクトの天板）で発生する結露がファンに滴下することがなくなる。この結果、結露による不具合の発生を抑制することができる。
【０００８】
本発明に係る洗浄機では、ファンは、ブラケットを介して第２ダクトの底面に取り付けられており、第２ダクトの底面は、排出部に向かって上方に傾斜し、ブラケットと底面との間には隙間が設けられていてもよい。これにより、第２ダクト内に発生した結露は、底面を伝って第１ダクト側に流れる。ブラケットと底面の間には、隙間が設けられているので、第１ダクト側に流れようとする結露がブラケットによって阻害されることなく、第１ダクトに流れ込む。これにより、第２ダクトで発生した結露によってファンに不具合が発生することを抑制できると共に、ダクト内で発生した結露を洗浄室に回収することができる。
【０００９】
本発明に係る洗浄機では、ブラケットは、パッキンを介して底面に取り付けられており、パッキンは、第２ダクトにおいて、上下方向と上記上下方向に交差する方向とに直交する幅方向の両端に設けられており、隙間は、幅方向において両端に設けられるパッキンの間に設けられている。これにより、パネルの継ぎ目等が配置されることが多いダクトにおける幅方向端部を、結露が流れることを防止できる。
【発明の効果】
【００１０】
本発明によれば、結露によってファンに不具合が発生することを抑制できる洗浄機を提供できる。
【図面の簡単な説明】
【００１１】
【図１】図１は、一実施形態に係る食器洗浄機の斜視図である。
【図２】図２は、一実施形態に係る食器洗浄機の概略構成を示す断面図である。
【図３】図３は、食器洗浄機の内部構成を示す側面図である。
【図４】図４は、熱交換ユニットを示す斜視図である。
【図５】図５は、図４の熱交換ユニットの第１ダクト及び第２ダクト近傍を拡大して示した断面図である。
【図６】図６は、図４の熱交換ユニットの第１ダクト及び第２ダクト近傍を分解して示した斜視図である。
【図７】図７は、図５のブラケットの取付状態を示した斜視図である。
【発明を実施するための形態】
【００１２】
以下、添付図面を参照して、本発明の好適な実施形態について詳細に説明する。なお、図面の説明において同一又は相当要素には同一符号を付し、重複する説明は省略する。図面の寸法比率は、説明のものと必ずしも一致していない。以下の説明においては、図１で規定する方向（上下方向、前後方向、左右方向（幅方向））を説明に用いる。
【００１３】
図１及び図２に示されるように、食器洗浄機（洗浄機）１は、ステンレス製のパネルで覆われた洗浄機本体（本体部）２を有している。洗浄機本体２は、洗浄室３が形成された上側部分２Ａと、機械室４が形成された下側部分２Ｂとに仕切られている。洗浄機本体２の背面側におけるコーナ部には、上側部分２Ａと下側部分２Ｂとに渡って上下方向に延びる支柱６が配置され、支柱６，６間には背面パネル５が配置されている。
【００１４】
洗浄機本体２の上側部分２Ａには、洗浄室３の開閉を行うための箱型のドア７が設けられている。このドア７は、ステンレス製の一対の支柱６，６により上下動自在に案内されると共に、前方において水平方向に延在するハンドル８Ａによって上下動する。ドア７は、上下方向において最下高さ位置に位置して、洗浄室３を閉じる第１位置Ｐ１（図３参照）と、上下方向において最高高さ位置に位置して、洗浄室３を開く第２位置Ｐ２（図３参照）と、の間で移動する。
【００１５】
このハンドル８Ａの両端には左右一対の回動アーム８Ｂ，８Ｂの先端が固定され、回動アーム８Ｂ，８Ｂはドア７の側面７Ａに沿って斜めに配置されている。回動アーム８Ｂ，８Ｂには、ドア７の側面７Ａに沿って配置されたリンク部８Ｃの一端が回動自在に連結され、リンク部８Ｃの他端は、軸ピン８Ｄを介してドア７に連結されており、ハンドル８Ａの回動運動に対してドア７が上下運動可能となっている。洗浄機本体２の底面の四隅には脚部９が取り付けられている。
【００１６】
図２に示されるように、洗浄室３内には、ラックレール１１が着脱自在に配置されており、このラックレール１１上に、飲食後の皿や茶碗等の食器（被洗浄物）が並べられた格子状の食器ラックが載置される。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに並べられた食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００１７】
洗浄室３の底部には、機械室４内に突出するように洗浄水タンク１５が設けられている。洗浄室３と洗浄水タンク１５との間には、フィルタ１８が着脱自在に配置されている。洗浄水タンク１５の前面には、洗浄水吸込口を介して洗浄ポンプ２３が接続されている。洗浄ポンプ２３の吐出口には洗浄水吐出管２１が接続されている。洗浄水吐出管２１は、第１洗浄水吐出管２１Ａと第２洗浄水吐出管２１Ｂとに分岐して、第１洗浄水吐出管２１Ａは上側洗浄ノズル１２Ａに接続され、第２洗浄水吐出管２１Ｂは下側洗浄ノズル１２Ｂに接続されている。
【００１８】
機械室４内には、外部から給水管（図示せず）を介してすすぎ水が供給されるすすぎ水タンク２５が配置されている。すすぎ水タンク２５には、すすぎ水吸込管２９を介してすすぎポンプ２７が接続されている。すすぎポンプ２７の吐出口にはすすぎ水吐出管３１が接続されている。すすぎ水吐出管３１は、第１すすぎ水吐出管３１Ａと第２すすぎ水吐出管３１Ｂとに分岐して、第１すすぎ水吐出管３１Ａは上側すすぎノズル１３Ａに接続され、第２すすぎ水吐出管３１Ｂは下側すすぎノズル１３Ｂに接続されている。第１すすぎ水吐出管３１Ａは、第１洗浄水吐出管２１Ａ内に配置されている。すなわち、第１洗浄水吐出管２１Ａ及び第１すすぎ水吐出管３１Ａは、二重管構造を成している。
【００１９】
機械室４内には、食器洗浄機１の動作全般を制御するコントローラ５０が内蔵された電装ボックス（図示せず）等が収容されている。
【００２０】
図３に示されるように、洗浄機本体２は、洗浄室３内の水蒸気を排気する開口部２Ｈを有する。開口部２Ｈは、背面パネル５を厚み方向（前後方向）に貫通して形成されている。開口部２Ｈは、洗浄機本体２の背面パネル５の上端部に配置されている。開口部２Ｈは、洗浄機本体２の幅方向に沿って延在している。
【００２１】
図１及び図３に示されるように、食器洗浄機１は、熱交換ユニット６０を備えている。熱交換ユニット６０は、図３〜図６に示されるように、筐体６２と、熱交換器（熱交換部）６４と、排気ダクト（ダクト）７０と、排気ファン６８と、を有している。熱交換ユニット６０は、洗浄機本体２の洗浄室３から排出された水蒸気を凝縮して、水蒸気の包含量が減少した空気（以下、単に「空気」とも称する。）を外部に排出する。熱交換ユニット６０では、水蒸気（空気）の流通する経路において、上流側から、筐体６２及び排気ダクト７０がこの順番で配置されており、熱交換器６４は筐体６２に配置され、排気ファン６８は排気ダクト７０に配置されている。
【００２２】
筐体６２は、フレーム６２ｄと、フレーム６２ｄを覆うパネル６２ｃと、を有している。筐体６２は、箱状の部材である。筐体６２は、熱交換器６４を収容する。筐体６２は、洗浄室３から排出された水蒸気を流通させると共に、熱交換器６４により熱交換された空気を流通させる流路（ダクト）の一部を構成している。筐体６２は、洗浄機本体２の背面パネル５に固定されている。具体的には、筐体６２の下端部に設けられたブラケット６２ａ，６２ｂが、洗浄機本体２の背面パネル５の上端部に固定されている。
【００２３】
筐体６２は、洗浄機本体２の背面側において、上下方向に延在している。筐体６２は、吸気口６３ａと、連通口６２ｅと、を有する。吸気口６３ａは、水蒸気を筐体６２内に取り入れる。吸気口６３ａは、筐体６２の下部に設けられている。洗浄機本体２の背面パネル５に設けられた開口部２Ｈに接続されている。これにより、洗浄機本体２の洗浄室３と筐体６２とは、連通している。連通口６２ｅは、排気ダクト７０の連通口７０ａに連通している。これにより、筐体６２と排気ダクト７０は、連通している。筐体６２は、熱交換器６４を収容している。
【００２４】
熱交換器６４は、フィン及び流路管（いずれも図示せず）等を有している。流路管の一端には、給水管（図示せず）が接続されている。給水管は、流路管に水を供給する。給水管には、図示しない水道等の水源から水が供給される。流路管の他端には、排水管（図示せず）が接続されている。排水管は、流路管を通過した水を排出する。排水管は、すすぎ水タンク２５に接続されている。すなわち、熱交換器６４の流路管を流通した水は、すすぎ水タンク２５に排出される。熱交換器６４は、筐体６２内を流通する水蒸気と接触する。熱交換器６４は、流路管を流通する水と水蒸気との間で熱交換を行う。
【００２５】
排気ダクト７０は、熱交換器６４の上方に設けられる。排気ダクト７０は、上下方向に延在する第１ダクト７１と、第１ダクト７１に連通し、上下方向に交差する前後方向に排出部７０ｂまで延在する第２ダクト７２と、を有している。排気ダクト７０は、連通口７０ａと、排出部７０ｂと、を有する。連通口７０ａは、筐体６２の連通口６２ｅに連通している。これにより、と筐体６２と排気ダクト７０とは、連通している。排出部７０ｂは、排気ダクト７０の下流端に配置されている。すなわち、排気ダクト７０の排出部７０ｂは、筐体６２の吸気口６３ａと連通している。排出部７０ｂは、水蒸気の包含量が減少した空気を外部に排出する。
【００２６】
排気ダクト７０は、本体部７３と、上部カバー７６と、背板７７と、を有している。図６に示されるように、本体部７３は、第１ダクト７１及び第２ダクト７２の一部を形成する部材であって、主に、左右方向から見て略Ｌ字状の側板７３ａと、フランジ７３ｂと、底板７３ｃと、を有している。背板７７は、第１ダクト７１の一部を形成する部材であって、平板７７ａと、フランジ７７ｂと、を有する。図５に示されるように、本体部７３に背板７７がねじ等によって取り付けられることによって第１ダクト７１を形成する。
【００２７】
また、図６に示されるように、上部カバー７６は、上板７６ａと、前板７６ｂと、グリル７６ｃと、フランジ７６ｄと、を有している。図５に示されるように、本体部７３に上部カバー７６が取り付けられることによって第２ダクト７２を形成する。図３に示されるように、第２ダクト７２に形成される排出部７０ｂは、上下方向において最高高さ位置に位置するドア７（すなわち、洗浄室３を開放状態にするドア７の第２位置Ｐ２）よりも上方かつドア７の上方の空間に向けて前方に空気を排出するように設けられている。排出部７０ｂは、前板７６ｂに覆われており、前板７６ｂには開口部からなるグリル７６ｃが配置されている。グリル７６ｃによって、排気ファン６８が覆われるため、空気の排出を可能にしつつも作業者等が排気ファン６８に接触すること防止できる。
【００２８】
排気ファン６８は、第２ダクト７２内に配置されている。排気ファン６８は、開口部２Ｈから熱交換ユニット６０に水蒸気を取り込んで排出部７０ｂから空気を排出させる。図５に示されるように、排気ファン６８は、ブラケット７５を介して本体部７３の底板７３ｃに取り付けられている。排気ファン６８は、ブラケット７５の取付口７５ｃを覆うようにねじ等によって平板７５ａに取り付けられる。排気ファン６８は、排出部７０ｂ近傍に配置されている。本実施形態では、排気ファン６８は、４個設けられている。排気ファン６８は、左右方向に沿って並んで配置されている。排気ファン６８の数は、適宜設定される。
【００２９】
ブラケット７５は、平板７５ａと、フランジ７５ｂと、取付口７５ｃと、を有している。ブラケット７５は、二つの柱状のパッキン７４，７４を介して本体部７３の底板７３ｃに取り付けられている。二つのパッキン７４，７４は、第２ダクト７２において、上下方向と前後方向に直交する左右方向（幅方向）の両端に設けられている。図７に示されるように、二つのパッキン７４，７４と、ブラケット７５と、本体部７３の底板（第２ダクトの底面）７３ｃとの間には、第１ダクト７１に連通する隙間Ｇ１が形成されている。本体部７３の底板７３ｃは、排出部７０ｂに向かって上方に傾斜している。すなわち、第２ダクト７２の底面は、前方に向かって上方に傾斜している。第２ダクト７２の天面である上部カバー７６の上板７６ａも、第２ダクト７２の底面である本体部７３の底板７３ｃと同様に、前方に向かって上方に傾斜している。
【００３０】
続いて、食器洗浄機１の動作について説明する。食器洗浄機１は、電源スイッチがＯＮされると、すすぎ水タンク２５内の温水をすすぎポンプ３４によって洗浄室３へ噴射することにより、洗浄水タンク１５内へ温水が供給される。すすぎ水タンク２５内の温水の温度は、例えば、８０℃前後に設定されている。これにより初期給湯が行われる。そして、初期給湯量に合った量の洗剤が洗浄水タンク１５内へ供給されて、洗浄水タンク１５内の洗浄水の洗剤濃度が所定濃度となる。
【００３１】
初期給湯後、ユーザが食器をラッキングして、ドア７を閉めると、ドアスイッチにより、ドアが閉められたことが検知されると共に、運転開始信号がコントローラ５０へ入力される。運転開始信号がコントローラ５０へ入力されると、食器の洗浄が開始される。食器の洗浄は、洗浄水タンク１５内の洗浄水を洗浄室３内の食器に向けて噴射することにより行われる。洗浄水タンク１５内の洗浄水の温度は、例えば、６０℃〜７０℃となるように設定されている。
【００３２】
洗浄ポンプ２３が始動することにより、洗浄水タンク１５内に貯留された洗浄水は、洗浄水吐出管２４等を介して上側洗浄ノズル１２Ａ及び下側洗浄ノズル１２Ｂに圧送されて、上側洗浄ノズル１２Ａ及び下側洗浄ノズル１２Ｂから洗浄室３内の食器に向けて噴射される。このとき、上側洗浄ノズル１２Ａ及び下側洗浄ノズル１２Ｂは噴射力の反力によって回転し続けるため、洗浄水が食器に満遍なく当てられて、食器の汚れが効率良く洗い落とされる。
【００３３】
この洗浄室３内に噴射された洗浄水は、食器から洗い落とされた残菜等がフィルタ１８によって取り除かれつつ洗浄水タンク１５内に回収される。洗浄水タンク１５内に回収された洗浄水は、洗浄ポンプ２３により再び洗浄室３内に循環供給される。洗浄水による食器の洗浄が所定時間行われると、洗浄ポンプ２３の作動を停止する。これにより、食器洗浄機１の動作が一時的に休止する。
【００３４】
次に、すすぎポンプ３４が始動することにより、すすぎ水タンク２５内に貯留されたすすぎ水は、すすぎ水吐出管３６等を介して上側すすぎノズル１３Ａ及び下側すすぎノズル１３Ｂに圧送されて、上側すすぎノズル１３Ａ及び下側すすぎノズル１３Ｂから食器に向けて噴射される。すすぎ水タンク２５から圧送されるすすぎ水の温度は、例えば、８０℃前後に設定されている。このとき、上側すすぎノズル１３Ａ及び下側すすぎノズル１３Ｂもまた、噴射力の反力によって回転し続けるため、すすぎ水が食器に満遍なく当てられて、食器のすすぎが効率良く行われる。
【００３５】
この食器に噴射されたすすぎ水は、フィルタ１８を介して洗浄水タンク１５内に回収されて洗浄水と混ざり合い、次回の洗浄工程における洗浄水として使用される。洗浄室３内にすすぎ水が噴射されて洗浄水タンク１５内に回収されると、一定水位を超える余剰な洗浄水は、オーバーフロー管（図示省略）から外部に排出される。
【００３６】
上側すすぎノズル１３Ａ及び下側すすぎノズル１３Ｂから食器Ｐにすすぎ水が噴射されると、洗浄室３内に水蒸気が発生する。本実施形態の食器洗浄機１では、すすぎ工程が開始されると排気ファン６８が作動を開始し、洗浄室３内で発生した水蒸気が排気ファン６８によって排出される。なお、排気ファン６８の作動開始タイミングは、このタイミングに限定されず、上側洗浄ノズル１２Ａ及び下側洗浄ノズル１２Ｂから水が噴射される洗浄工程から開始されてもよい。
【００３７】
排気ファン６８によって洗浄室３から水蒸気が排出されると、水蒸気は、開口部２Ｈを介して熱交換ユニット６０の熱交換器６４に送り出される。水蒸気は、熱交換器６４が配置された流路を流通する。熱交換器６４では、流路を流通する「水蒸気」と、熱交換器６４を流通する「水」との間で熱交換が行われる。これにより、熱交換器６４からは、水蒸気の包含量が減少した空気が送り出される。排気ファン６８の作動により洗浄室３内の水蒸気の回収が所定の時間行われると、排気ファン６８の作動が停止される。排気ファン６８の作動が停止されると、熱交換器６４への水蒸気の流通が停止する。このとき、洗浄室３内には、水蒸気（湯気）がほとんど存在していない。
【００３８】
熱交換器６４から送り出される空気は、比較的暖かい空気であるので、図３に示されるように、熱交換器６４より下流側の第１ダクト７１及び第２ダクト７２の内面には、第１ダクト７１及び第２ダクト７２の外面との温度差により、結露が発生し易い状態となる。特に、第１ダクト７１の天面となる上部カバー７６の上板７６ａの領域Ａには、結露が発生し易い状況となる。当該領域Ａに発生する結露は下方に落下し、筐体６２を通過して洗浄室３に回収される。このとき、上記領域Ａの下方には、排気ファン６８が配置されていないので、上部カバー７６の上板７６ａから落下する結露が排気ファン６８に滴下することはない。
【００３９】
上記領域Ａに発生する結露に比べれば少ない量ではあるが、第２ダクト７２の内面にも結露が発生する。例えば、本体部７３の底板７３ｃは、後方に向かって傾斜しているので、本体部７３の底板７３ｃに発生した結露は後方の第１ダクト７１側に流れる。第１ダクト７１と第２ダクト７２との間には、排気ファン６８を固定するブラケット７５が存在するが隙間Ｇ１が形成されている。このため、結露は、第２ダクト７２から隙間Ｇ１を介して第１ダクト７１に流れる。同様に、上部カバー７６の上板７６ａも、後方に向かって傾斜している。
【００４０】
続いて、本実施形態の食器洗浄機１の作用効果について説明する。図５に示されるように、上記実施形態の食器洗浄機１では、熱交換器６４によって変換された空気を外部に排出する排気ファン６８が、熱交換器６４の上方から上下方向に延在する第１ダクト７１とは異なる第２ダクト７２に設けられている。すなわち、排気ファン６８は、熱交換器６４の上方から外れた位置、かつ第１ダクト７１の天板（上部カバー７６の上板７６ａ）の下方からも外れた位置に配置される。これにより、第１ダクト７１及び第２ダクト７２で発生する結露が排気ファン６８に滴下することがなくなる。この結果、結露によってファンに不具合が発生することを抑制できる。
【００４１】
上記実施形態の食器洗浄機１では、排気ファン６８は、ブラケット７５を介して第２ダクト７２の底面（本体部７３の底板７３ｃ）に取り付けられており、第２ダクト７２の底面は、排出部７０ｂに向かって上方に傾斜し、ブラケット７５と本体部７３の底板７３ｃとの間には隙間Ｇ１が設けられている。これにより、第２ダクト７２内に発生した結露は、本体部７３の底板７３ｃを伝って第１ダクト７１側に流れる。ブラケット７５と本体部７３の底板７３ｃの間には、隙間Ｇ１が設けられているので、第１ダクト７１側に流れようとする結露は、ブラケット７５によって阻害されることなく、第１ダクト７１に流れ込む。これにより、第２ダクト７２で発生した結露によって排気ファン６８に不具合が発生することを抑制できると共に、排気ダクト７０内で発生した結露を洗浄室に回収することができる。
【００４２】
上記実施形態の食器洗浄機１では、ブラケット７５は、二つのパッキン７４，７４を介して本体部７３の底板７３ｃに取り付けられており、パッキン７４は、第２ダクト７２において、左右方向の両端に設けられている。これにより、第２ダクト７２で発生した結露を、第１ダクト７１及び筐体６２において左右方向における両端を伝って流れることを防止できる。すなわち、第２ダクト７２で発生した結露を、第１ダクト７１及び筐体６２における幅方向の中央部分に流すことができる。これにより、パネル６２ｃの継ぎ目等が配置されることが多い排気ダクト７０における幅方向端部を、結露が流れることを防止できるので、パネル６２ｃ同士の隙間等から上記の結露が漏れ出すことを抑止できる。
【００４３】
上記実施形態の食器洗浄機１では、排気ファン６８が配置された上方の上部カバー７６が取り外し可能に設けられていると共に排出部７０ｂ近傍に設けられているので、作業者等は、排気ファン６８にアクセスしやすい。これにより、排気ファン６８のメンテナンス性に優れる。また、排気ファン６８が第２ダクト７２に設けられることによって、空気を送り出す方向と、排気ダクト７０における排出部７０ｂの開口方向とを一致させることができるので、効率的に空気を排出できる。
【００４４】
以上、本発明の実施形態について説明してきたが、本発明は必ずしも上述した実施形態に限定されるものではなく、その要旨を逸脱しない範囲で様々な変更が可能である。
【００４５】
上記実施形態の食器洗浄機１では、排気ファン６８がブラケット７５を介して取り付けられる例を挙げて説明したが、第２ダクト７２の内面に直接取り付けられてもよい。この場合であっても、第１ダクト７１の天面となる上部カバー７６の上板７６ａの領域Ａに発生する結露の影響を回避できる。第２ダクト７２の底面となる本体部７３の底板７３ｃに排気ファン６８を取り付ける場合には、パッキン等を介して配置することにより、底板７３ｃを伝う結露の影響も回避できる。
【００４６】
排気ファン６８は、上板７６ａに吊り下げられるような態様で取り付けられてもよい。この場合も、底板７３ｃを伝う結露の影響も回避できる。また、上記実施形態において、ブラケット７５の上部と上部カバー７６との間にも、上述した隙間Ｇ１のような隙間を設けてもよい。この場合、よりスムーズに上部カバー７６の上板７６ａに発生した結露を、後方の第１ダクト７１側に流すことができる。
【００４７】
上記実施形態のブラケット７５は、パッキン７４を介して本体部７３の底板７３ｃに取り付けられる例を挙げて説明したが、上記底板７３ｃに直接取り付けられてもよい。この場合、上記隙間Ｇ１は、ブラケット７５の平板７５ａの一部を切り欠くことによって形成してもよい。
【００４８】
本発明は、発明の趣旨を逸脱しない範囲で、上記実施形態、上記変形例及びその他の変形例として記載の内容を適宜組み合わせてもよい。
【符号の説明】
【００４９】
１…食器洗浄機、２…洗浄機本体（本体部）、２Ｈ…開口部、３…洗浄室、７…ドア、６０…熱交換ユニット、６２…筐体、６４…熱交換器（熱交換部）、６８…排気ファン、７０…排気ダクト（ダクト）、７１…第１ダクト、７２…第２ダクト、７３…本体部、７４…パッキン、７５…ブラケット、７６…上部カバー、７７…背板、Ｇ１…隙間。
【図１】
2019141248.tif 000003
【図２】
2019141248.tif 000004
【図３】
2019141248.tif 000005
【図４】
2019141248.tif 000006
【図５】
2019141248.tif 000007
【図６】
2019141248.tif 000008
【図７】
2019141248.tif 000009